(57)【要約】【課題】全体で１つの曲面を構成するように配置された複数の操作釦の移動軌跡を一致させることができる操作釦装置を提供すること。【解決手段】開口１１３が形成された枠体１１０と、一方向１０１に延在する支点部１２１と開口１１３を通って表面１２７が第１の面１１１側に突出する釦部１２２と支点部１２１に一端１２３ａ、１２４ａが接続され釦部１２２を支点部１２１に連結する連結部１２３、１２４とを有し、連結部１２３、１２４が弾性変形することにより釦部１２２が回動するように設けられた複数の操作釦１２０とを備え、複数の操作釦１２０は、釦部１２２の表面１２７が第１の面１１１に沿って一方向１０１に列状に配置され、連結部１２３、１２４の一端１２３ａ、１２４ａから釦部１２２の表面１２７までの距離１２９が等しくなるように構成する。【選択図】　図５
2004133655.tif 000002
【特許請求の範囲】
【請求項１】
一方向に湾曲する第１の面と前記第１の面の背面としての第２の面とを有し、前記第１の面および前記第２の面を貫通する開口が形成された枠体と、
前記枠体の前記第２の面に設けられた固定部に固定され前記枠体の一方向に延在する支点部と前記支点部に沿って配置され前記枠体の前記開口を通って表面が前記枠体の前記第１の面側に突出する釦部と前記支点部に一端が接続され前記釦部に他端が接続され前記釦部を前記支点部に連結する連結部とを有し、前記連結部が弾性変形することにより前記釦部が回動するように設けられた複数の操作釦とを備え、
前記複数の操作釦は、前記釦部の表面が前記第１の面に沿って前記枠体の一方向に列状に配置され、前記連結部の一端から前記釦部の表面までの距離が等しくなるように設けられたことを特徴とする操作釦装置。
【請求項２】
前記操作釦は、隣り合う前記支点部が接続され一体の部材を構成することを特徴とする請求項１に記載の操作釦装置。
【請求項３】
前記複数の操作釦それぞれの前記連結部が複数の連結部材で構成され、前記複数の連結部材の一端は、前記枠体の前記第２の面に対向する回路基板の一面に対して平行に配置されたことを特徴とする請求項１または請求項２に記載の操作釦装置。
【請求項４】
請求項１から請求項３までの何れかに記載の操作釦装置を備えたことを特徴とする車載用の電子機器。
【請求項５】
一方向に湾曲する第１の面と前記第１の面の背面としての第２の面とを有し、前記第１の面および前記第２の面を貫通する開口が形成された枠体と、前記枠体の一方向に延在する支点部と前記支点部に沿って配置された釦部と前記支点部に一端が接続され前記釦部に他端が接続され前記釦部を前記支点部に連結する連結部とを有し、前記連結部の一端から前記釦部の表面までの距離が等しくなるように設けられた複数の操作釦とを準備する準備工程と、
前記釦部の表面が前記第１の面に沿って前記枠体の一方向に列状に配置され、前記支点部が前記枠体の前記第２の面に設けられた固定部に固定され、前記釦部の表面が前記枠体の前記開口を通って前記枠体の前記第１の面側に突出するように、前記複数の操作釦を前記枠体の前記第２の面側から前記枠体に取り付ける取付工程とを備えたことを特徴とする操作釦装置の組立方法。
【発明の詳細な説明】
【０００１】
【発明の属する技術分野】
本発明は、電子機器を操作する操作釦装置およびその組立方法に関するものである。
【０００２】
【従来の技術】
従来から、この種の操作釦装置は、ＤＶＤ（Ｄｉｇｉｔａｌ　Ｖｅｒｓａｔｉｌｅ　Ｄｉｓｃ）プレーヤ、ＣＤ（Ｃｏｍｐａｃｔ　Ｄｉｓｃ）プレーヤ、カセットテーププレーヤ、ラジオ受信機などが組み込まれた電子機器を操作する操作釦装置として普及している（例えば、特許文献１参照）。
【０００３】
このような従来の操作釦装置２００は、図７から図１１に示すように、電子機器の筐体に取り付けられた枠体２１０と、電子機器の各種機能に対応する文字、記号などが形成された複数の操作釦２２０とを備えている。
【０００４】
枠体２１０は、操作面としての第１の面２１１と、第１の面２１１の背面としての第２の面２１２とを有している。枠体２１０の第１の面２１１は、一方向２０１および一方向２０１に直交する他方向２０２に湾曲している。枠体２１０には、第１の面２１１および第２の面２１２を貫通する複数の開口２１３が形成されている。
【０００５】
操作釦２２０は、枠体２１０の第２の面２１２に設けられた固定部２１４に固定され枠体２１０の一方向２０１に延在する棒状の支点部２２１と、支点部２２１に沿って配置され枠体２１０の開口２１３を通って枠体２１０の第１の面２１１側に突出する釦部２２２と、支点部２２１に一端２２３ａ、２２４ａが接続され釦部２２２に他端２２３ｂ、２２４ｂが接続され釦部２２２を支点部２２１に連結する連結部２２３、２２４とを有している。操作釦２２０は、連結部２２３、２２４が弾性変形することにより釦部２２２が連結部２２３、２２４の一端２２３ａ、２２４ａを中心に回動するように設けられている。
【０００６】
操作釦２２０は、釦部２２２の表面２２７が枠体２１０の第１の面２１１に対して平行な曲面を構成するように、枠体２１０の一方向２０１に列状に配置されている。操作釦２２０は、隣り合う支点部２２１が接続され、一体の部材としての連釦部材２２８を構成している。連釦部材２２８の中央に位置する操作釦２２０ａは、連釦部材２２８の一端に位置する操作釦２２０ｂよりも、釦部２２２の表面２２７から連結部２２３、２２４の一端２２３ａ、２２４ａまでの距離２２９が大きくなるように設けられている。
【０００７】
【特許文献１】
実開平２―１３００１３号公報（第１頁、第１図）
【０００８】
【発明が解決しようとする課題】
しかしながら、上記従来の操作釦装置においては、釦部の表面から連結部の一端までの距離によってそれぞれの操作釦の移動軌跡が異なるため、操作量や操作感が異なる、あるいは、操作釦の異なる移動軌跡の大きさに合わせて操作釦と枠体との間に形成される間隙を大きくしなければならず、デザイン品位が低下するという問題があった。
【０００９】
そこで、本発明は、このような問題を解決するため、全体で１つの曲面を構成するように配置された複数の操作釦の移動軌跡を一致させることができる操作釦装置を提供することを目的とする。
【００１０】
【課題を解決するための手段】
上記の課題を解決するために、本発明の操作釦装置は、一方向に湾曲する第１の面と前記第１の面の背面としての第２の面とを有し、前記第１の面および前記第２の面を貫通する開口が形成された枠体と、前記枠体の前記第２の面に設けられた固定部に固定され前記枠体の一方向に延在する支点部と前記支点部に沿って配置され前記枠体の前記開口を通って表面が前記枠体の前記第１の面側に突出する釦部と前記支点部に一端が接続され前記釦部に他端が接続され前記釦部を前記支点部に連結する連結部とを有し、前記連結部が弾性変形することにより前記釦部が回動するように設けられた複数の操作釦とを備え、前記複数の操作釦は、前記釦部の表面が前記第１の面に沿って前記枠体の一方向に列状に配置され、前記連結部の一端から前記釦部の表面までの距離が等しくなるように設けられたことを特徴とする構成を有している。
【００１１】
この構成により、本発明の操作釦装置は、釦部の表面から連結部の一端までの距離が等しくなるので、全体で１つの曲面を構成するように配置された複数の操作釦の移動軌跡を一致させることができる。これにより、操作釦と枠体との間に形成される間隙を小さくすることができるので、デザイン品位を向上させることができ、装置内への塵埃の侵入を防止することができる。また、操作釦の動作が均一になるので、操作釦の操作感を向上させることができる。
【００１２】
また、本発明の操作釦装置は、前記操作釦は、隣り合う前記支点部が接続され一体の部材を構成することを特徴とする構成を有している。
【００１３】
この構成により、本発明の操作釦装置は、列状に配置された操作釦が一体の部材を構成するので、部品点数を少なくすることができ、組立作業を容易に行うことができる。
【００１４】
また、本発明の操作釦装置は、前記複数の操作釦それぞれの前記連結部が複数の連結部材で構成され、前記複数の連結部材の一端は、前記枠体の前記第２の面に対向する回路基板の一面に対して平行に配置されたことを特徴とする構成を有している。
【００１５】
この構成により、本発明の操作釦装置は、釦部が回路基板の一面に対して略直交する方向に移動するので、回路基板の一面に設けられたスイッチを確実に作動させることができる。
【００１６】
また、本発明の電子機器は、操作釦装置を備えたことを特徴とする構成を有している。
【００１７】
この構成により、本発明の電子機器は、枠体の第１の面および釦部の表面が曲面を構成しているので、車両内部の形状に合わせて操作釦装置の形状を設計することができる。また、釦部が連結部に付勢されるので、車両の振動によるラトルノイズの発生を防止することができる。
【００１８】
また、本発明の操作釦装置の組立方法は、一方向に湾曲する第１の面と前記第１の面の背面としての第２の面とを有し、前記第１の面および前記第２の面を貫通する開口が形成された枠体と、前記枠体の一方向に延在する支点部と前記支点部に沿って配置された釦部と前記支点部に一端が接続され前記釦部に他端が接続され前記釦部を前記支点部に連結する連結部とを有し、前記連結部の一端から前記釦部の表面までの距離が等しくなるように設けられた複数の操作釦とを準備する準備工程と、前記釦部の表面が前記第１の面に沿って前記枠体の一方向に列状に配置され、前記支点部が前記枠体の前記第２の面に設けられた固定部に固定され、前記釦部の表面が前記枠体の前記開口を通って前記枠体の前記第１の面側に突出するように、前記複数の操作釦を前記枠体の前記第２の面側から前記枠体に取り付ける取付工程とを備えたことを特徴とする構成を有している。
【００１９】
この方法により、本発明の操作釦装置は、釦部の表面から連結部の一端までの距離が等しくなるので、全体で１つの曲面を構成するように配置された複数の操作釦の移動軌跡を一致させることができる。これにより、操作釦と枠体との間に形成される間隙を小さくすることができるので、デザイン品位を向上させることができ、装置内への塵埃の侵入を防止することができる。また、操作釦の動作が均一になるので、操作釦の操作感を向上させることができる。
【００２０】
【発明の実施の形態】
以下、本発明の実施の形態について、図面を用いて説明する。
【００２１】
まず、本発明の一実施の形態に係る操作釦装置および操作釦装置を備えた電子機器の構成について説明する。
【００２２】
図１において、電子機器１０は、ＤＶＤプレーヤ、ＣＤプレーヤ、カセットテーププレーヤ、ラジオ受信機などが組み込まれたものであり、電子機器１０の前面には、電子機器１０を操作する操作釦装置１００が設けられている。操作釦装置１００は、電子機器１０の筐体に取り付けられた枠体１１０と、電子機器１０の各種機能に対応する文字、記号などが形成された複数の操作釦１２０とを備えている。以下、操作釦１２０およびその周辺の部材に注目して操作釦装置１００の構成を説明する。
【００２３】
図２から図６において、枠体１１０は、操作面としての第１の面１１１と、第１の面１１１の背面としての第２の面１１２とを有している。枠体１１０の第１の面１１１は、一方向１０１および一方向１０１に直交する他方向１０２に湾曲している。枠体１１０には、第１の面１１１および第２の面１１２を貫通する複数の開口１１３が形成されている。
【００２４】
操作釦１２０は、枠体１１０の第２の面１１２に設けられた固定部１１４に固定され枠体１１０の一方向１０１に延在する棒状の支点部１２１と、支点部１２１に沿って配置され枠体１１０の開口１１３を通って枠体１１０の第１の面１１１側に突出する釦部１２２と、支点部１２１に一端１２３ａ、１２４ａが接続され釦部１２２に他端１２３ｂ、１２４ｂが接続され釦部１２２を支点部１２１に連結する連結部１２３、１２４と、釦部１２２の背面に設けられた押圧部１２５と、釦部１２２の周縁に設けられた鍔部１２６とを有している。操作釦１２０は、連結部１２３、１２４が弾性変形することにより、釦部１２２が連結部１２３、１２４の一端１２３ａ、１２４ａを中心に回動するように設けられている。
【００２５】
操作釦１２０は、釦部１２２の表面１２７が枠体１１０の第１の面１１１に対して平行な曲面を構成するように、枠体１１０の一方向１０１に列状に配置されている。操作釦１２０は、隣り合う支点部１２１が接続され、一体の部材としての連釦部材１２８を構成している。連釦部材１２８の中央に位置する操作釦１２０ａおよび連釦部材１２８の一端に位置する操作釦１２０ｂを含む全ての操作釦１２０は、釦部１２２の表面１２７から連結部１２３、１２４の一端１２３ａ、１２４ａまでの距離１２９が等しくなるように設けられている。
【００２６】
釦部１２２は、支点部１２１に近い側に位置する第１の縁部１２２ａと、支点部１２１から遠い側に位置する第２の縁部１２２ｂとを有している。釦部１２２は、釦部１２２の第２の縁部１２２ｂから連結部１２３、１２４の一端１２３ａ、１２４ａまでの距離、即ち、釦部１２２の回動半径が等しくなるとともに、釦部１２２の第２の縁部１２２ｂの移動軌跡が一致するように配置されている。
【００２７】
また、操作釦装置１００は、枠体１１０の第２の面１１２側に設けられた回路基板１３０を備えている。回路基板１３０は、枠体１１０の第２の面１１２に対向する一面１３１を有している。回路基板１３０の一面１３１には、釦部１２２に光を照射するＬＥＤ（Ｌｉｇｈｔ　Ｅｍｉｔｔｉｎｇ　Ｄｉｏｄｅ）などの光源１３２および押圧部１２５に対向するスイッチ１３３が設けられている。
【００２８】
釦部１２２は、押圧部１２５がスイッチ１３３から離隔する第１の位置と押圧部１２５がスイッチ１３３を押圧する第２の位置とに回動するようになっている。スイッチ１３３は、釦部１２２が第１の位置と第２の位置との間を回動することにより所定のストロークだけ作動し、スイッチ１３３に設けられた接点を開閉するようになっている。
【００２９】
鍔部１２６は、釦部１２２が第１の位置にあるときには枠体１１０に当接し、釦部１２２が第２の位置にあるときには枠体１１０から離隔するようになっている。連結部１２３、１２４は、釦部１２２が第１の位置から第２の位置に回動するときに弾性変形し、この弾性変形の復元力によって釦部１２２を第１の位置に付勢するようになっている。釦部１２２は、連結部１２３、１２４によって第１の位置に付勢されるとともに鍔部１２６が枠体１１０に当接することにより、第１の位置に静止した状態を保つようになっている。
【００３０】
連結部１２３、１２４の一端１２３ａ、１２４ａは、回路基板１３０の一面１３１に対して平行に配置されている。これにより、釦部１２２が回路基板１３０の一面１３１に対して略直交する方向に移動するとともに、押圧部１２５がスイッチ１３３の作動軸に沿って移動するようになっている。
【００３１】
次に、本実施の形態に係る操作釦装置を組み立てる際の作業工程について説明する。
【００３２】
まず、枠体１１０、連釦部材１２８および回路基板１３０が分離された状態の操作釦装置１００を準備する。次に、操作釦１２０が枠体１１０の一方向１０１に列状に配置され、支点部１２１が固定部１１４に固定され、釦部１２２が枠体１１０の開口１１３を通って枠体１１０の第１の面１１１側に突出するように、連釦部材１２８を枠体１１０の第２の面１１２側から枠体１１０に取り付ける。このとき、釦部１２２の表面１２７が枠体１１０の第１の面１１１に対して平行な曲面を構成する。そして、スイッチ１３３が押圧部１２５に対向するように、回路基板１３０を枠体１１０の第２の面１１２側から枠体１１０に取り付けて、作業工程を終了する。
【００３３】
以上説明したように、本実施の形態においては、釦部１２２の表面１２７から連結部１２３、１２４の一端１２３ａ、１２４ａまでの距離１２９が等しくなるので、全体で１つの曲面を構成するように配置された複数の操作釦１２０の移動軌跡を一致させることができる。これにより、操作釦１２０と枠体１１０との間に形成される間隙を小さくすることができるので、デザイン品位を向上させることができ、装置内への塵埃の侵入を防止することができる。また、操作釦１２０の動作が均一になるので、操作釦１２０の操作感を向上させることができる。
【００３４】
また、本実施の形態においては、列状に配置された操作釦１２０が一体の部材としての連釦部材１２８を構成するので、部品点数を少なくすることができ、組立作業を容易に行うことができる。
【００３５】
また、本実施の形態においては、釦部１２２が回路基板１３０の一面１３１に対して略直交する方向に移動するとともに、押圧部１２５がスイッチ１３３の作動軸に沿って移動するので、スイッチ１３３を確実に作動させることができる。
【００３６】
なお、本実施の形態においては、電子機器１０を自動車などの車両に搭載するように構成してもよい。このように構成された電子機器１０では、枠体１１０の第１の面１１１および釦部１２２の表面１２７が曲面を構成しているので、車両内部の形状に合わせて操作釦装置１００の形状を設計することができる。また、釦部１２２が連結部１２３、１２４に付勢されて第１の位置に静止した状態を保つようになっているので、車両の振動によるラトルノイズの発生を防止することができる。
【００３７】
【発明の効果】
以上説明したように、本発明によれば、全体で１つの曲面を構成するように配置された複数の操作釦の移動軌跡を一致させることができる操作釦装置を提供することができる。
【図面の簡単な説明】
【図１】本発明の一実施の形態に係る操作釦装置および電子機器の正面図
【図２】本発明の一実施の形態に係る操作釦装置の部分正面図
【図３】本発明の一実施の形態に係る操作釦装置の操作釦の正面図
【図４】本発明の一実施の形態に係る操作釦装置の操作釦の上面図
【図５】図２のＡ−Ａ矢視断面図
【図６】図２のＢ−Ｂ矢視断面図
【図７】従来の操作釦装置の部分正面図
【図８】従来の操作釦装置の操作釦の正面図
【図９】従来の操作釦装置の操作釦の上面図
【図１０】図７のＣ−Ｃ矢視断面図
【図１１】図７のＤ−Ｄ矢視断面図
【符号の説明】
１０　電子機器
１００　操作釦装置
１０１　一方向
１１０　枠体
１１１　第１の面
１１２　第２の面
１１３　開口
１１４　固定部
１２０　操作釦
１２１　支点部
１２２　釦部
１２３、１２４　連結部
１２３ａ、１２４ａ　一端
１２３ｂ、１２４ｂ　他端
１２７　表面
１２８　連釦部材
１２９　距離
１３０　回路基板
１３１　一面
【図１】
2004133655.tif 000003
【図２】
2004133655.tif 000004
【図３】
2004133655.tif 000005
【図４】
2004133655.tif 000006
【図５】
2004133655.tif 000007
【図６】
2004133655.tif 000008
【図７】
2004133655.tif 000009
【図８】
2004133655.tif 000010
【図９】
2004133655.tif 000011
【図１０】
2004133655.tif 000012
【図１１】
2004133655.tif 000013